【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
支持体、下引き層、及び単層型感光層をこの順に有する電子写真感光体において、
該下引き層が、結着樹脂、及びチタン酸ストロンチウム粒子を含有し、
該単層型感光層が、結着樹脂、電荷発生物質、正孔輸送物質、及び電子輸送物質を含有することを特徴とする電子写真感光体。
【請求項２】
前記電子輸送物質が、下記一般式（１）で示される化合物、下記一般式（２）で示される化合物、下記一般式（３）で示される化合物、又は下記一般式（４）で示される化合物である請求項１に記載の電子写真感光体。
【化１】
2020067556.tif 000001
【化２】
2020067556.tif 000002
【化３】
2020067556.tif 000003
【化４】
2020067556.tif 000004
（一般式（１）中、Ｒ１、及びＲ２は、各々独立して、水素原子、ハロゲン原子、シアノ基、置換もしくは無置換の炭素原子数１以上６以下のアルキル基、置換もしくは無置換の炭素原子数２以上６以下のアルケニル基、置換もしくは無置換の炭素原子数１以上６以下のアルコキシ基、又は置換もしくは無置換の炭素原子数６以上１４以下のアリール基を示す。
一般式（２）中、Ｒ３、Ｒ４、Ｒ５、及びＲ６は、各々独立して、水素原子、ハロゲン原子、シアノ基、置換もしくは無置換の炭素原子数１以上６以下のアルキル基、置換もしくは無置換の炭素原子数２以上６以下のアルケニル基、置換もしくは無置換の炭素原子数１以上６以下のアルコキシ基、又は置換もしくは無置換の炭素原子数６以上１４以下のアリール基を示す。
一般式（３）中、Ｒ７、Ｒ８、及びＲ９は、各々独立して、水素原子、ハロゲン原子、シアノ基、置換もしくは無置換の炭素原子数１以上６以下のアルキル基、置換もしくは無置換の炭素原子数２以上６以下のアルケニル基、置換もしくは無置換の炭素原子数１以上６以下のアルコキシ基、又は置換もしくは無置換の炭素原子数６以上１４以下のアリール基を示す。
一般式（４）中、Ｒ１０、Ｒ１１、Ｒ１２、Ｒ１３、Ｒ１４、Ｒ１５、及びＲ１６は、各々独立に、水素原子、ハロゲン原子、アルキル基、アルコキシ基、アリール基、又はアラルキル基を示し、Ｒ１７は、アルキル基、アリール基、又はアラルキル基を示す。）
【請求項３】
前記電子輸送物質が、前記一般式（４）で示され、前記一般式（４）中のＲ１７がアルキル基である化合物である請求項２に記載の電子写真感光体。
【請求項４】
前記電子輸送物質が、前記一般式（４）で示され、前記一般式（４）中のＲ１７が炭素原子数４のアルキル基である化合物である請求項３に記載の電子写真感光体。
【請求項５】
前記電子輸送物質が、
前記一般式（１）で示され、前記一般式（１）中のＲ１及びＲ２が各々独立して炭素原子数１以上６以下のアルキル基である化合物、
前記一般式（２）で示され、前記一般式（２）中のＲ３、Ｒ４、Ｒ５及びＲ６が各々独立して炭素原子数１以上６以下のアルキル基である化合物、
前記一般式（３）で示され、前記一般式（３）中のＲ７及びＲ８が各々独立して炭素原子数１以上６以下のアルキル基であり、Ｒ９がハロゲン原子である化合物、又は
前記一般式（４）で示され、前記一般式（４）中のＲ１７が炭素原子数４以上８以下のアルキル基又はアラルキル基である化合物
である請求項２に記載の電子写真感光体。
【請求項６】
前記単層型感光層中の前記電子輸送物質の含有量が、前記単層型感光層中の前記結着樹脂に対して１０質量％以上３０質量％以下であり、
前記下引き層中の前記チタン酸ストロンチウム粒子の含有量が、前記下引き層中の前記結着樹脂に対して１００質量％以上５００質量％以下である
請求項１〜５のいずれか１項に記載の電子写真感光体。
【請求項７】
前記正孔輸送物質が、下記一般式（６）で示される化合物である請求項１〜６のいずれか１項に記載の電子写真感光体。
【化５】
2020067556.tif 000005
（一般式（６）中、Ｒ２０〜Ｒ２２は、各々独立して、炭素原子数１以上６以下のアルキル基、炭素原子数１以上６以下のアルコキシ基、又は炭素原子数６以上１４以下のアリール基を示し、ａ、ｂ、及びｃは、各々独立して、０以上５以下の整数を示す。）
【請求項８】
前記単層型感光層中の前記電子輸送物質の含有量が、前記単層型感光層中の前記電荷発生物質に対して２００質量％以上１０００質量％以下である請求項１〜７のいずれか１項に記載の電子写真感光体。
【請求項９】
前記単層型感光層の膜厚が、１０μｍ以上４０μｍ以下である請求項１〜８のいずれか１項に記載の電子写真感光体。
【請求項１０】
前記下引き層の表面の、ＪＩＳ Ｂ ０６０１：２００１で規定される十点平均粗さＲｚｊｉｓが、０．５μｍ以上１．５μｍ以下である請求項１〜９のいずれか１項に記載の電子写真感光体。
【請求項１１】
請求項１〜１０のいずれか１項に記載の電子写真感光体と、帯電手段、現像手段、転写手段、及びクリーニング手段からなる群より選ばれた少なくとも１つの手段と、を一体に支持し、電子写真装置本体に着脱自在であることを特徴とするプロセスカートリッジ。
【請求項１２】
請求項１〜１０のいずれか１項に記載の電子写真感光体、並びに、帯電手段、露光手段、現像手段、及び転写手段を有することを特徴とする電子写真装置。
【手続補正２】
【補正対象書類名】明細書
【補正対象項目名】０００８
【補正方法】変更
【補正の内容】
【０００８】
上記の目的は以下の本発明によって達成される。即ち、本発明にかかる電子写真感光体は、支持体、下引き層、及び、単層型感光層をこの順に有する電子写真感光体において、該下引き層が、結着樹脂、及びチタン酸ストロンチウム粒子を含有し、該単層型感光層が、結着樹脂、電荷発生物質、正孔輸送物質、及び電子輸送物質を含有することを特徴とする電子写真感光体である。
【手続補正３】
【補正対象書類名】明細書
【補正対象項目名】００２９
【補正方法】変更
【補正の内容】
【００２９】
＜単層型感光層＞
本発明の電子写真感光体の単層型感光層は、主に、結着樹脂、電荷発生物質、正孔輸送物質、及び電子輸送物質を含有する。
【手続補正４】
【補正対象書類名】明細書
【補正対象項目名】００３４
【補正方法】変更
【補正の内容】
【００３４】
中でも露光メモリー抑制の観点から、下記一般式（１）で示される化合物、下記一般式（２）で示される化合物、下記一般式（３）で示される化合物、下記一般式（４）で示される化合物の電子輸送物質であることが好ましい。
【手続補正５】
【補正対象書類名】明細書
【補正対象項目名】００３６
【補正方法】変更
【補正の内容】
【００３６】
一般式（１）中、Ｒ１及びＲ２は、各々独立して、水素原子、ハロゲン原子、シアノ基、置換もしくは無置換の炭素原子数１以上６以下のアルキル基、置換もしくは無置換の炭素原子数２以上６以下のアルケニル基、置換もしくは無置換の炭素原子数１以上６以下のアルコキシ基、又は置換もしくは無置換の炭素原子数６以上１４以下のアリール基を示す。
【手続補正６】
【補正対象書類名】明細書
【補正対象項目名】００４４
【補正方法】変更
【補正の内容】
【００４４】
一般式（２）中、Ｒ３、Ｒ４、Ｒ５及びＲ６は、各々独立して、水素原子、ハロゲン原子、シアノ基、置換もしくは無置換の炭素原子数１以上６以下のアルキル基、置換もしくは無置換の炭素原子数２以上６以下のアルケニル基、置換もしくは無置換の炭素原子数１以上６以下のアルコキシ基、又は置換もしくは無置換の炭素原子数６以上１４以下のアリール基を示す。
【手続補正７】
【補正対象書類名】明細書
【補正対象項目名】００５２
【補正方法】変更
【補正の内容】
【００５２】
一般式（３）中、Ｒ７、Ｒ８及びＲ９は、各々独立して、水素原子、ハロゲン原子、シアノ基、置換もしくは無置換の炭素原子数１以上６以下のアルキル基、置換もしくは無置換の炭素原子数２以上６以下のアルケニル基、置換もしくは無置換の炭素原子数１以上６以下のアルコキシ基、又は置換もしくは無置換の炭素原子数６以上１４以下のアリール基を示す。
【手続補正８】
【補正対象書類名】明細書
【補正対象項目名】００７２
【補正方法】変更
【補正の内容】
【００７２】
一般式（５）中、Ｒ１８及びＲ１９は、それぞれ独立に、水素原子、ハロゲン原子、炭素数１〜２０の置換もしくは非置換のアルキル基、炭素数１〜２０の置換もしくは非置換のアルコキシ基、炭素数６〜２０の置換もしくは非置換のアリール基、置換もしくは非置換のアミノ基を示す。Ｒ１８及びＲ１９がハロゲン原子である場合の例としては、塩素原子、臭素原子、フッ素原子、及びヨウ素原子が挙げられる。
Ｒ１８及びＲ１９が置換もしくは非置換のアルキル基である場合、アルキル基の炭素数は１〜２０であり、１〜１２が好ましく、１〜８がより好ましい。なお、アルキル基の炭素数にはアルキル基に結合する置換基の炭素数は含まない。アルキル基の構造は、直鎖状、分岐鎖状、環状、及びこれらを組み合わせた構造のいずれでもよい。アルキル基が有していてもよい置換基の例としては、ハロゲン原子、水酸基、炭素数１〜４のアルコキシ基、カルボニル基、エステル基、及びシアノ基等が挙げられる。
【手続補正９】
【補正対象書類名】明細書
【補正対象項目名】００８０
【補正方法】変更
【補正の内容】
【００８０】
【化１１】
2020067556.tif 000006
一般式（６）中、Ｒ２０〜Ｒ２２は、各々独立して、炭素原子数１以上６以下のアルキル基、炭素原子数１以上６以下のアルコキシ基又は炭素原子数６以上１４以下のアリール基を示す。Ｒ２０〜Ｒ２２としては、炭素原子数１以上６以下のアルキル基を示すことが好ましく、ｎ−ブチル基を示すことがより好ましい。
一般式（６）中、ａ、ｂ及びｃは、各々独立して、０以上５以下の整数を示す。ａが２以上５以下の整数を示す場合、同一のフェニル基に結合する複数のＲ２０は、互いに同一でも異なっていてもよい。ａが２以上５以下の整数を示す場合、同一のフェニル基に結合する複数のＲ２１は、互いに同一でも異なっていてもよい。ｃが２以上５以下の整数を示す場合、同一のフェニル基に結合する複数のＲ２２は、互いに同一でも異なっていてもよい。ａは１を示すことが好ましい。ｂ及びｃは０を示すことが好ましい。
Ｒ２０、Ｒ２１の結合位置は特に限定されない。Ｒ２０〜Ｒ２２は、各々、フェニル基のオルト位、メタ位及びパラ位の何れに結合（位置）してもよい。Ｒ２０は、フェニル基のパラ位に結合することが好ましい。
【手続補正１０】
【補正対象書類名】明細書
【補正対象項目名】００８１
【補正方法】変更
【補正の内容】
【００８１】
【化１２】
2020067556.tif 000007
一般式（７）中、Ｒ２３〜Ｒ２８は、各々独立して、炭素原子数１以上６以下のアルキル基、炭素原子数１以上６以下のアルコキシ基又は炭素原子数６以上１４以下のアリール基を示す。Ｒ２３〜Ｒ２８は、各々、炭素原子数１以上６以下のアルキル基を示すことが好ましく、炭素原子数１以上３以下のアルキル基を示すことがより好ましく、メチル基を示すことが特に好ましい。
一般式（７）中、ｄ、ｅ、ｆ及びｇは、各々独立して、０以上５以下の整数を示す。ｄが２以上５以下の整数を示す場合、同一のフェニル基に結合する複数のＲ２３は、互いに同一でも異なっていてもよい。ｅが２以上５以下の整数を示す場合、同一のフェニル基に結合する複数のＲ２４は、互いに同一でも異なっていてもよい。ｆが２以上５以下の整数を示す場合、同一のフェニル基に結合する複数のＲ２５は、互いに同一でも異なっていてもよい。ｇが２以上５以下の整数を示す場合、同一のフェニル基に結合する複数のＲ２６は、互いに同一でも異なっていてもよい。ｄ及びｇは、各々、１を示すことが好ましい。ｅ及びｆは、各々、０を示すことがより好ましい。
Ｒ２３〜Ｒ２６の結合位置は特に限定されない。Ｒ２３〜Ｒ２６は、各々、フェニル基のオルト位、メタ位及びパラ位の何れに結合（位置）してもよい。Ｒ２３及びＲ２６は、各々、フェニル基のパラ位に結合することが好ましい。
一般式（７）中、ｈ及びｉは、各々独立して、０以上４以下の整数を示す。ｈが２以上４以下の整数を示す場合、同一のフェニレン基に結合する複数のＲ２７は、互いに同一でも異なっていてもよい。ｉが２以上４以下の整数を示す場合、同一のフェニレン基に結合する複数のＲ２８は、互いに同一でも異なっていてもよい。ｈ及びｉは、各々、０を示すことが好ましい。
Ｒ２７及びＲ２８の結合位置は特に限定されない。Ｒ２７及びＲ２８は、各々、フェニレン基が結合する窒素原子に対して、オルト位及びメタ位の何れに結合（位置）してもよい。
【手続補正１１】
【補正対象書類名】明細書
【補正対象項目名】００８４
【補正方法】変更
【補正の内容】
【００８４】
単層型感光層において露光メモリー抑制の観点から、電子輸送物質の含有量が、単層型感光層中の電荷発生物質に対して２００質量％以上１０００質量％以下であることがより好ましい。
【手続補正１２】
【補正対象書類名】明細書
【補正対象項目名】００８５
【補正方法】変更
【補正の内容】
【００８５】
単層型感光層において露光メモリー抑制の観点から、電子輸送物質の含有量が、単層型感光層中の結着樹脂に対して１０質量％以上３０質量％以下であり、且つ下引き層においてチタン酸ストロンチウムの含有量が結着樹脂に対して１００質量％以上５００質量％以下であることがより好ましい。
【手続補正１３】
【補正対象書類名】明細書
【補正対象項目名】００８６
【補正方法】変更
【補正の内容】
【００８６】
単層型感光層の膜厚は露光メモリー抑制の観点から、１０μｍ以上４０μｍ以下であることが好ましい。
【手続補正１４】
【補正対象書類名】明細書
【補正対象項目名】００９７
【補正方法】変更
【補正の内容】
【００９７】
＜電子写真装置＞
本発明は、上記の電子写真感光体、並びに、帯電手段、露光手段、現像手段、及び転写手段を有することを特徴とする電子写真装置に関する。図３は、電子写真感光体ユニットを有する電子写真装置の概略構成図である。この電子写真装置は、四つの前記プロセスカートリッジが着脱可能に装着されたカラー電子写真装置である。各プロセスカートリッジには、ブラック、マゼンダ、イエロー、シアンの各色のトナーが使用されている。電子写真感光体ユニットの感光ドラム６１は矢印方向に回転し、帯電バイアス電源から電圧が印加された帯電ローラ６２によって一様に帯電され、露光光６１１により、その表面に静電潜像が形成される。